(57)【要約】      （修正有）【課題】リュックサックに対して携行品を仮止めするために携行品の貫通穴を利用するもので、止具としての機能をできる限り長期に亘って発揮できるリュックサック止具を提供する。【解決手段】リュックサック止具は、リュックサック１の背負袋２に携行品Ｐを仮止めすると共に携行品の貫通穴Ｐ３に対して抜き差しする止具７に関する。そして止具は、背負袋に伸縮紐８によって固定すると共に厚み方向から見て細長いものであり、厚み方向に貫通すると共に伸縮紐を挿入するための複数の紐孔１４と、厚み方向の両面のうち背負袋とは反対側の面である表面において凹む表面溝部１５とを備える。また表面溝部は、複数の紐孔の間を繋ぐ状態に延びる溝本体部１５ｓを備える。【選択図】図１
0003219228.tif 000002
【実用新案登録請求の範囲】
【請求項１】
リュックサック（１）の背負袋（２）に携行品（Ｐ）を仮止めすると共に前記携行品（Ｐ）の貫通穴（Ｐ３）に対して抜き差しする止具（７）において、
前記止具（７）は、前記背負袋（２）に伸縮紐（８）によって固定すると共に厚み方向から見て細長いものであり、厚み方向に貫通すると共に前記伸縮紐（８）を挿入するための複数の紐孔（１４）と、厚み方向の両面のうち前記背負袋（２）とは反対側の面である表面において凹む表面溝部（１５）とを備え、
前記表面溝部（１５）は、複数の前記紐孔（１４）の間を繋ぐ状態に延びる溝本体部（１５ｓ）を備えることを特徴とするリュックサックの止具。
【請求項２】
前記溝本体部（１５ｓ）の深さ（１５ｅ）は前記紐孔（１４）の最大径以上にしてあることを特徴とする請求項１に記載のリュックサックの止具。
【請求項３】
前記溝本体部（１５ｓ）の幅（１５Ｗ）は前記表面に向かって広がることを特徴とする請求項１または２に記載のリュックサックの止具。
【請求項４】
前記止具（７）の幅のうち前記溝本体部（１５ｓ）に対応する部分の幅（７ａ）は、前記表面に向かって広がることを特徴とする請求項１，２又は３に記載のリュックサックの止具。
【請求項５】
前記溝本体部（１５ｓ）は前記止具（７）の長手方向に対して平行に延びるものであり、
前記紐孔（１４）と前記表面溝部（１５）との他に前記溝本体部（１５ｓ）に対して平行な裏面溝部（１６）を備え、
前記裏面溝部（１６）は、前記止具（７）の厚み方向の両面のうち前記背負袋（２）側である裏面であって且つ前記止具（７）の長手方向における前記溝本体部（１５ｓ）に対応する位置おいて凹むことを特徴とする請求項１〜４の何れかに記載のリュックサックの止具。
【請求項６】
前記携行品（Ｐ）は、柄部（Ｐ１）と、前記柄部（Ｐ１）の一端部から延びる鶴嘴部（Ｐ２）とを備えるピッケル（Ｐ）であることを特徴とする請求項１〜５の何れかに記載のリュックサックの止具。
【請求項７】
請求項１〜６の何れかに記載の前記止具（７）と、前記背負袋（２）と、前記背負袋（２）に対して前記止具（７）を固定した前記伸縮紐（８）とを備え、
前記伸縮紐（８）は複数の前記紐孔（１４）に通されると共に前記溝本体部（１５ｓ）に対してその上端以下に収容されていることを特徴とするリュックサック。
【考案の詳細な説明】
【技術分野】
【０００１】
本考案は、リュックサックの背負袋に携行品を仮止めするための止具、およびその止具を用いたリュックサックに関する。
【背景技術】
【０００２】
リュックには背負袋の内部に携行品を入れるだけでなく、背負袋の表面に携行品を仮止めできるものが存在する。
たとえば携行品としてピッケルが存在する。ピッケルとは、氷雪面上の足場作りや、体の確保などに用いる鶴嘴（ツルハシ）付きの登山杖のことである。
ピッケルを背負袋の表面に仮止めする止具としては、厚み方向から見て細長い板状のものが知られている（非特許文献１，２）。そして止具には伸縮紐を挿入する紐孔が形成されている。
【先行技術文献】
【非特許文献】
【０００３】
【非特許文献１】OSPRAY EUROPE、Products、climbing、Mutant52、［online］、平成３０年９月１１日検索］、インターネット＜https://www.ospreyeurope.com/shop/eu_en/mutant-52-2018＞
【非特許文献２】Mutant - Dual ToolLockTM for ice axe attachment、［online］、平成３０年９月１１日検索］、インターネット＜https://www.youtube.com/watch?v=oIQuzY6AKk0＞
【考案の概要】
【考案が解決しようとする課題】
【０００４】
しかしながら上記止具は表面が平らであるので、その表面には伸縮紐が厚み方向に突出することになり、それゆえ伸縮紐は損傷しやすい。そして伸縮紐が切れると、止具としての機能（携行品を仮止めする機能）を発揮できなかった。
また上記止具はピッケルの貫通穴に抜き差しする原理を利用することによって、ピッケルをリュックサックに止めるものであった。そして本考案の考案者は、上記原理を利用した止具であれば、ピッケルに限らず、貫通穴が形成された携行品をリュックサック仮止めできると考えた。
【０００５】
本考案は上記実情を考慮して創作されたもので、その目的はリュックサックに対して携行品を仮止めするために携行品の貫通穴を利用する止具およびその止具を使用したリュックサックに関して、止具としての機能をできる限り長期に亘って発揮できるようにすることである。
【課題を解決するための手段】
【０００６】
本考案の止具は、リュックサックの背負袋に携行品を仮止めすると共に携行品の貫通穴に対して抜き差しするものであり、背負袋に伸縮紐によって固定すると共に厚み方向から見て細長いものである。そして止具は、厚み方向に貫通すると共に伸縮紐を挿入するための複数の紐孔と、厚み方向の両面のうち背負袋とは反対側の面である表面において凹む表面溝部とを備える。そのうえで表面溝部は、複数の紐孔の間を繋ぐ状態に延びる溝本体部を備える。
【０００７】
また溝本体部の深さと紐孔の太さ（最大径）との関係は問わないが、伸縮紐を損傷し難くするには次のようにすることが望ましい。
すなわち溝本体部の深さは紐孔の最大径以上にすることである。
【０００８】
また溝本体部の幅はどのようなものであっても良いが、伸縮紐を表面溝部に挿入しやすくするには次のようにすることが望ましい。
すなわち溝本体部の幅は前記表面に向かって広がるものにすることである。
【０００９】
また止具の幅はどのようなものであっても良いが、摘まみやすくするには次のようにすることが望ましい。
すなわち止具の幅のうち溝本体部に対応する部分の幅は前記表面に向かって広がるようにすることである。
【００１０】
また溝本体部の延びる方向は問わず、例えば止具の長手方向に対して交差する方向に延びるものであっても良いが、厚み方向から見た止具の大きさ（長手方向の寸法と幅との関係）を小さくし、しかも軽量化を図るには、次のようにすることが望ましい。
すなわち止具は、溝本体部に関しては止具の長手方向に対して平行に延びるものであり、紐孔と表面溝部との他に溝本体部に対して平行な裏面溝部を備え、裏面溝部は、止具の厚み方向の両面のうち背負袋側である裏面であって且つ止具の長手方向における溝本体部に対応する位置おいて凹むものにすることである。
【００１１】
また本考案の止具は用途（携行品）を問わないが、その一例としては次のものがある。  すなわち本考案の止具の用途としての携行品はピッケルであり、柄部と、柄部の一端部から延びる鶴嘴部とを備えるものである。
【００１２】
また上記した止具と、背負袋と、背負袋に対して止具を固定した伸縮紐とを備えるものがリュックサックである。そして伸縮紐は複数の紐孔に通されると共に溝本体部に対してその上端以下に収容されているものである。
【考案の効果】
【００１３】
本考案の止具は、複数の紐孔の間を繋ぐ状態に表面溝部の溝本体部が形成されているので、溝本体部に伸縮紐を収容されるように使用することにより、例えば表面溝部のない平らな表面の止具に比べれば、伸縮紐を損傷し難くなり、止具としての機能（携行品を仮止めする機能）が長期に亘って発揮できる。
【００１４】
また本考案の止具は、溝本体部の深さを紐孔の最大径以上にしてあれば、伸縮紐にその太さが紐孔の最大径以下になるものを使用することにより、伸縮紐が溝本体部内に完全に収容されることも可能となり、伸縮紐を損傷し難くなる。
【００１５】
また本考案の止具は、溝本体部の幅を表面に向かって広がるものとすれば、伸縮紐を溝本体部に挿入しやすくなる。
【００１６】
また本考案の止具は、その幅のうち溝本体部に対応する部分の幅を裏面に向かって広がるものにすれば、摘まみやすくなり、操作性が向上する。
【００１７】
また本考案の止具は、紐孔と表面溝部との他に裏面溝部を備えるものとすれば、止具の長手方向に溝本体部と裏面溝部とを平行にするので、例えば厚み方向から見て溝本体部と裏面溝部とが交差する方向に延びる止具と比べれば、止具の幅を小さくでき、しかも裏面溝部に相当する部分が止具の材料で埋められたものと比べれば、軽量化できる。
【図面の簡単な説明】
【００１８】
【図１】本考案の第１実施形態のリュックサックを示す斜視図であり、一部を拡大してある。
【図２】（Ａ）（Ｂ）（Ｃ）（Ｄ）（Ｅ）図は第１の止め具を示す表面図、裏面図、Ａ−Ａ線断面図、側面図、Ｂ−Ｂ線断面図である。
【図３】（Ａ）（Ｂ）図は第１の止具に対する伸縮紐の通し方を示す断面図である。
【図４】（Ａ）（Ｂ）（Ｃ）図は第１の止具の使用手順を示す説明図である。
【考案を実施するための形態】
【００１９】
本考案の第１実施形態のリュックサック１は図１に示すように、さまざまな携行品を中に収容すると共に背負うための背負袋２と、背負袋２に固定されると共に肩に担ぐための肩紐３とを主として備えるものである。また本実施形態ではリュックサック１は、背負袋２に固定されると共に腰に回すための腰紐４と、携行品Ｐの一つとしてのピッケルＰを背負袋２に仮止めするための仮止めセット５とを備える。ちなみに仮止めセット５は、背負袋２の表面のうち背負面（背中に載せる面）以外に設けられている。
【００２０】
ピッケルＰは、手で持つ柄部Ｐ１と、柄部Ｐ１の長手方向の一端部から柄部Ｐ１の長手方向に対して交差する方向に延びる鶴嘴部Ｐ２とを備える。なお柄部Ｐ１のうち鶴嘴部Ｐ２側の端部と鶴嘴部Ｐ２を含めてピッケルＰの頭部というものとする。そしてピッケルＰは、頭部（より詳しく言えば鶴嘴部Ｐ２）にロープを通すための貫通穴Ｐ３が形成されている。
【００２１】
仮止めセット５は、背負袋２の下部であって背負面とは異なる面にピッケルＰの頭部を仮止めすると共にピッケルＰの貫通穴Ｐ３に対して抜き差しする第１の止具７と、第１の止具７を背負袋２に固定する伸縮紐８と、背負袋２の上部であって背負面とは異なる面にピッケルＰの柄部Ｐ１を仮止めするための第２の止具１１と、第２の止具１１を背負袋２に固定する固定部材（図示せず）とを備えるものである。
【００２２】
第２の止具１１は、下方に開口する筒状である。例えば第２の止具１１は、元々は矩形状の生地であって、筒状に巻かれた状態で背負袋２に固定される。
また固定部材は糸であり、背負袋２に対して縫着などによって第２の止具１１（筒状に巻かれた生地）を固定してある。
【００２３】
第１の止具７は本考案の第一実施形態の止具である。そして第１の止具７は合成樹脂製であり、射出成型品である。また第１の止具７は、硬質であり、外力を加えても肉眼では殆ど変形せず、大きな外力を加えると、二つに折れるものである。
第１の止具７は、背負袋２に伸縮紐８によって固定すると共に厚み方向から見て細長いものである。ちなみに細長い長手方向は、一直線の方向であり、図２（Ａ）では左右方向である。そして細長い長手方向に対して厚み方向から見て直交する方向を、第１の止具７の幅方向というものとする。
また第１の止具７は、厚み方向の二面のうち背負袋２に対向する面を裏面とし、背負袋２とは反対側を向く面を表面とするものである。なお以下では厚み方向のことを上下方向と言うこともある。そして厚み方向の二面のうち裏面から表面に向かう方向を上方向とし、表面から裏面に向かう方向を下方向とする。また図２（Ｃ）に示すように幅方向から見て、第１の止具７の表面と裏面とは、長手方向の中間が長手方向の両端よりも上側となる状態に湾曲している。そして第１の止具７の表面に関してその両端部は、両端部の間の部分よりも、端に近づくにつれて下方に急激に傾斜している。
また第１の止具７は、厚み方向に貫通すると共に伸縮紐８を挿入するための複数の紐孔１４と、表面において凹むと共に複数の紐孔１４の間を繋ぐ状態に延びる表面溝部１５と、裏面において凹むと共に表面溝部１５に対して平行な裏面溝部１６とを備えるものである。
【００２４】
また細長い長手方向に関する部位として第１の止具７は図２（Ａ）に示すように、細長い長手方向の中心部を形成すると共に溝本体部１５ｓに沿って形成される中心部１８と、中心部１８に対して長手方向の両側部を形成すると共に中心部１８に対して幅方向に（より詳しくは幅方向の両側に）張り出す一対の張出し部１９，１９とを備える。したがって図２（Ｂ）に示すように中心部１８（溝本体部１５ｓに対応する部分）の幅７ａの最大寸法は、張出し部１９の幅７ｂの最大寸法よりも狭くなっている。そして中心部１８の幅７ａは、表面に向かって徐々に広がるものにしてある。また中心部１８の幅方向の側面（符号省略）は図２（Ｅ）に示すように、上側に向かうにつれて互いに離れるように厚み方向（上下方向）に対して所定の角度θ（平均値としての角度）で傾斜している。ちなみに中心部１８の幅方向の側面は側面視すると、円弧状に膨らむように湾曲している。
【００２５】
紐孔１４は複数、図示の例では４つで、第１の止具７の長手方向に間隔をあけて形成されている。したがって表面溝部１５は第１の止具７の長手方向に対して平行に延びるものである。また表面溝部１５の幅方向は第１の止具７の幅方向に一致するものである。そして紐孔１４は中心部１８と一対の張出し部１９，１９とに形成されている。より詳しく言えば、図示の例では中心部１８には２つの紐孔１４が形成され、各張出し部１９には１つの紐孔１４が形成されている。そして中心部１８に通された伸縮紐８は背負袋２に固定されている。
また紐孔１４は厚み方向から見て円形状に形成されている。
【００２６】
表面溝部１５は中心部１８と一対の張出し部１９，１９とに亘って連続して形成されている。ただし本実施形態では表面溝部１５は、長手方向の両端よりも中心側の範囲に形成されている。より詳しく言えば、表面溝部１５は図２（Ａ）（Ｃ）に示すように、４つの紐孔１４のうち長手方向の両端に配置された一対の紐孔１４，１４の間を繋ぐ溝本体部１５ｓと、溝本体部１５ｓから第１の止具７における長手方向の両端側に延長する一対の溝延長部１５ｔ，１５ｔとを備える。
【００２７】
また表面溝部１５は図２（Ｅ）に示すように上向きに開口している。溝本体部１５ｓの幅１５Ｗは、表面（表面溝部１５の深さ方向の入り口側）に向かって徐々に広がるものである。より詳しく言えば表面溝部１５は幅方向に対向する一対の内側面１５ａ，１５ａと、一対の内側面１５ａ，１５ａの下端を繋ぐ底面１５ｂとで形成されている。そして溝本体部１５ｓにおいて一対の内側面１５ａ，１５ａは、上側に向かうにつれて互いに幅方向に離れるように厚み方向（上下方向）に対して所定の角度で傾斜している。
また底面１５ｂは裏面溝部１６の方に向かって膨らむ状態の円弧状で、一対の内側面１５ａ，１５ａに対し滑らかに（角のない状態で）連続している。
また溝本体部１５ｓの深さ１５ｅは、紐孔１４の最大径以上にするものであり、図２（Ｃ）の例では紐孔１４の最大径と同じにしてある。ちなみに図示の例では紐孔１４は円形状なので、紐孔１４の最大径は直径１４Ｄである。そして表面溝部１５は、溝本体部１５ｓの深さ１５ｅはその長手方向の全長に亘って同じ深さである。また溝本体部１５ｓの深さ１５ｅ（最小深さ）は溝延長部１５ｔの深さ１５ｆ（最小深さ）はよりも深い。また溝本体部１５ｓと溝延長部１５ｔとの境界部は段差状に形成されている。
ちなみに溝本体部１５ｓは第１の止具７の中心部１８に形成されている。
【００２８】
そして中心部１８は言い換えると、第１の止具７の長手方向に対して直交する方向に切断した場合の断面形状をＨ字状とするものである。中心部１８は図２（Ｅ）に示すように、第１の止具７の幅方向に対向する一対の側壁部２１，２１と、第１の止具７の厚み方向の中間部において一対の側壁部２１，２１に架設すると共に表面溝部１５と裏面溝部１６との間を仕切る仕切壁部２２とを備える。また中心部１８のうち仕切壁部２２の上側には、一対の側壁部２１，２１の上部と仕切壁部２２とによって区画された表面溝部１５が形成され、中心部１８のうち仕切部の下側には、一対の側壁部２１，２１の下部と仕切壁部２２とによって区画された裏面溝部１６が形成される。
【００２９】
裏面溝部１６は図２（Ｂ）に示すように第１の止具７の長手方向の両端よりも内側の範囲に形成されている。したがって第１の止具７は厚み方向から見て裏面溝部１６の全周を包囲する状態での縁壁部１６ａを備える。そして縁壁部１６ａのうち第１の止具７の長手方向に延びる部分が一対の側壁部２１，２１の下部である。また一対の側壁部２１，２１の下部のうち長手方向の同じ側の端部を接合する部分が縁壁部１６ａにおける一対の接合壁部１６ｂ，１６ｂである。つまり縁壁部１６ａは、一対の側壁部２１，２１の下部と、一対の接合壁部１６ｂ，１６ｂとを備える。
【００３０】
張出し部１９は、背負袋２に固定された伸縮紐８の弾性によってピッケルＰをその貫通穴Ｐ３の周囲から背負袋２に押し付けて仮止めするものである。上記した第１の止具７を背負袋２に固定するのが伸縮紐８である。
【００３１】
伸縮紐８にはたとえばゴム紐を用いるものとする。また上記した第１の止具７には次の２通りの手法で伸縮紐８を通すことができる。
第１の手法は、図３（Ａ）に示すように４つの紐孔１４のうち長手方向の中心側の２つの紐孔１４を使うものである。より詳しく言えば第１の手法は、当該２つの紐孔１４だけに一本の伸縮紐８を通し、その伸縮紐８を溝本体部１５ｓのうち当該２つの紐孔１４，１４間を繋ぐ部分に通し、その伸縮紐８の両端を背負袋２に固定するものである。
第２の手法は、図３（Ｂ）に示すように４つの紐孔１４を全て使うものである。より詳しく言えば、溝本体部１５ｓは、４つの紐孔１４によって３つの部分に分けられている。つまり、溝本体部１５ｓは、４つの紐孔１４のうち長手方向の中心側に配置された２つの紐孔１４間を繋ぐ部分と、当該部分に対する両側の部分とに分けられている。
そして第２の手法は、溝本体部１５ｓのうち当該両側の部分に伸縮紐８を収容し、長手方向の外側の紐孔１４に通した伸縮紐８の一端部を結ぶ等して紐孔１４よりも太くしてから裏面溝部１６に収容し、伸縮紐８の他端部を長手方向の中心側の紐孔１４に通して背負袋２に通して固定するものである。
【００３２】
上記した第１実施形態のリュックサック１の第１の止具７にピッケルＰを仮止めするときには次の手順で行われる。まず図４（Ａ）に示すように、第１の止具７はリュックサック１の背負袋２に固定された状態である。そして第１の止具７を背負袋２から引っ張って伸縮紐８を伸ばし、背負袋２と第１の止具７との間にピッケルＰの頭部を挿入できるような隙間を形成する。そして図４（Ｂ）に示すように、一方の張出し部１９をピッケルＰの貫通穴Ｐ３に差し込んで、ピッケルＰの表面側に出す。続いて図４（Ｃ）に示すように、他方の張出し部１９を貫通穴Ｐ３に差し込んで、ピッケルＰの正面側に出し、第１の止具７から手を離す。そうすると、伸縮紐８が収縮して第１の止具７が背負袋２に引き寄せられ、一対の張出し部１９，１９と背負袋２との間にピッケルＰのうち貫通穴Ｐ３の周囲の部分が挟まれ、ピッケルＰが第１の止具７に仮止めされる。
【００３３】
また第１の止具７は次の効果を有する。
第１の止具７は、複数の紐孔１４の間を繋ぐ状態に溝本体部１５ｓが形成され、溝本体部１５ｓに伸縮紐８を収容してあるので、例えば表面溝部１５のない平らな表面の止具に比べれば、伸縮紐８を損傷し難くなり、止具としての機能（貫通穴Ｐ３が形成された携行品Ｐを仮止めする機能）が長期に亘って発揮できる。
【００３４】
また第１の止具７は、溝本体部１５ｓの深さ１５ｅを紐孔１４の最大径と同じにし、しかも紐孔１４の最大径以下の太さの伸縮紐８を溝本体部１５ｓに平行に沿わせてあるので、伸縮紐８が溝本体部１５ｓ内に完全に収容され、伸縮紐８を損傷し難くなる。
【００３５】
また第１の止具７は、溝本体部１５ｓの幅１５Ｗを溝部の深さ方向の入り口側に向かって徐々に広がるものとしてあるので、伸縮紐８を溝本体部１５ｓに挿入しやすくなる。
【００３６】
また第１の止具７は、その幅のうち溝本体部１５ｓに対応する部分の幅７ａを、表面に向かって徐々に広がるものにしてあるので、摘まみやすくなり、操作性が向上する。
【００３７】
また第１の止具７は、紐孔１４と表面溝部１５との他に裏面溝部１６を備え、第１の止具７の長手方向に溝本体部１５ｓと裏面溝部１６とを平行にしてあるので、例えば厚み方向から見て溝本体部と裏面溝部とが交差する方向に延びる止具と比べれば、第１の止具７の幅を小さくでき、しかも裏面溝部１６に相当する部分が止具の材料で埋められたものと比べれば、軽量化できる。
【００３８】
本考案は上記実施形態に限定されるものではなく、その趣旨を逸脱しない範囲において適宜変更可能である。
【符号の説明】
【００３９】
１  リュックサック
２  背負袋
３  肩紐
４  腰紐
５  仮止めセット
７  第１の止具
７ａ  幅
７ｂ  幅
８  伸縮紐
１１  第２の止具
１４  紐孔
１４Ｄ  直径
１５  表面溝部
１５ａ  内側面
１５ｂ  底面
１５ｅ  溝本体部の深さ
１５ｆ  溝延長部の深さ
１５ｓ  溝本体部
１５ｔ  溝延長部
１５Ｗ  幅
１６  裏面溝部
１６ａ  縁壁部
１６ｂ  接合壁部
１８  中心部
１９  張出し部
２１  側壁部
２２  仕切壁部
θ  角度
Ｐ  携行品（ピッケル）
Ｐ１  柄部
Ｐ２  鶴嘴部
Ｐ３  貫通穴
【図１】
0003219228.tif 000003
【図２】
0003219228.tif 000004
【図３】
0003219228.tif 000005
【図４】
0003219228.tif 000006